(57)【要約】      （修正有）【課題】コンクリート躯体とモルタル層との間の空隙が大きな浮き（ハラミ）となっている場合に、補修部分と他の部分との色調や風合いの不一致による見栄えの低下を防止し、工程面で有利となる上に、当該建物の室内環境を足場によって損なうのを防止できるタイル張り外壁の浮き補修方法を提供する。【解決手段】所定の範囲にわたり浮き（ハラミ）が生じたタイル外壁１８の補修対象範囲２２内の目地２６、３０に所定間隔で穿孔し、各穿孔部にボルト２８を取り付けて補修対象範囲２２のタイル層の浮き（ハラミ）を押し戻す工程と、ボルト２８間の目地２６、３０に所定間隔で穿孔を行い、各穿孔部内に接着剤３４を先行注入する工程と、先行注入した接着剤３４が硬化した後、ボルト２８を撤去し、ボルト２８を撤去した穿孔部に接着剤を本注入する工程とを含む。【選択図】図１
2015140552.tif 000002
【特許請求の範囲】
【請求項１】
所定の範囲にわたり浮きが生じたタイル外壁の補修対象範囲内の目地に所定間隔で穿孔し、前記穿孔部にボルトを取り付けて補修対象範囲のタイル層の浮きを押し戻す工程と、
前記ボルト間の目地に所定間隔で穿孔を行い、各穿孔部内に接着剤を先行注入する工程と、
前記先行注入した接着剤が硬化した後、前記ボルトを撤去し、ボルトを撤去した穿孔部に接着剤を本注入する工程と、
を含むことを特徴とするタイル張り外壁の浮き補修方法。
【請求項２】
請求項１において、
前記ボルトによる補修対象範囲のタイル層の浮きを押し戻す工程に先行して、
タイル外壁の補修対象範囲周辺の健全部に、所定間隔で穿孔を行い、その穿孔部内に接着剤を注入して補修工事による浮き拡散防止を行う工程を含むことを特徴とするタイル張り外壁の浮き補修方法。
【請求項３】
請求項１または２において、
前記ボルトにより補修対象範囲のタイル層の浮きを押し戻す際に前記ボルトにディスクプレートを取り付けることを特徴とするタイル張り外壁の浮き補修方法。
【請求項４】
請求項１〜３のいずれかにおいて、
前記ボルトを撤去した穿孔部に接着剤を本注入する際に、前記ボルトを撤去した穿孔部内にアンカーピンを取り付けることを特徴とするタイル張り外壁の浮き補修方法。
【請求項５】
請求項１〜４のいずれかにおいて、
前記ボルト間の目地に形成した各穿孔部内に接着剤を先行注入する際に、前記ボルト間の各穿孔部内にアンカーピンを取り付けることを特徴とするタイル張り外壁の浮き補修方法。
【請求項６】
請求項２において、
タイル外壁の補修対象範囲周辺の健全部に形成した穿孔部内に接着剤を注入する際に、各健全部の穿孔部内にアンカーピンを取り付けることを特徴とするタイル張り外壁の浮き補修方法。
【発明の詳細な説明】
【技術分野】
【０００１】
本発明は、タイル張り外壁の浮き補修方法に関し、特に、タイルの撤去を伴わないタイル張り外壁の浮き補修方法に関する。
【背景技術】
【０００２】
一般に、ビルやマンション等の建物において、意匠性を向上させるために、コンクリート躯体の外壁面に沿ってモルタル層を介してタイルが貼り付けられたタイル張り仕様の外壁が多く見かけられる。
【０００３】
このようなタイル張り仕様の外壁においては、経年劣化によって、モルタル層とタイルあるいはコンクリート躯体とモルタル層との間に空洞が生じてタイル層に浮きが生じてしまうことがある。
【０００４】
このようなモルタル層とタイルとの間の浮きに対する補修としては、例えば、特許文献１に示すように、アンカーピンを用いてタイルをコンクリート躯体に固定する方法が提案されている。
【０００５】
また、コンクリート躯体とモルタル層との間の浮きに対しては、浮きの程度が小さい場合にはコンクリート躯体とモルタル層との間に接着剤を注入する工法が用いられ、浮きの程度が大きく、いわゆるハラミと称される状態になっている場合には、一旦モルタル層ごとタイルを撤去して新たにタイルを張りなおす工法が用いられている。
【先行技術文献】
【特許文献】
【０００６】
【特許文献１】特開２０１１−１４４５９６号公報
【発明の概要】
【発明が解決しようとする課題】
【０００７】
ところで、浮きの程度が大きく、いわゆるハラミと称される状態になっていて、一旦モルタル層ごとタイルを撤去して新たにタイルを張りなおす場合には、タイルに予備品や在庫がない場合、新たにタイルを焼かなければならず、その工程に２〜３か月を要することになり、調査完了から工事着手までの間作業が中断することとなる。
【０００８】
また、新たなタイルと既存のタイルの色調や風合いが完全には一致しないため、張替え部分が目立って、見栄えを損なうことになる。
【０００９】
さらに、タイルの撤去・張替えを行う場合、一定量の新旧タイルやモルタルを扱う作業が必要となるため、作業床として足場が必要になり、工期を要するとともに、当該建物の室内環境を損なうこととなる。
【００１０】
本発明の目的は、コンクリート躯体とモルタル層との間の浮きの程度が大きく、いわゆるハラミと称される状態になっている場合に、既存のタイルを撤去せず、タイルの予備や在庫がない場合に生じる新たなタイル焼き工程を省略することができ、調査完了から工事着手までの期間の作業中断をなくして工期短縮に寄与し、緊急対応が可能で、しかも、補修部分と他の部分との色調や風合いの不一致による見栄えの低下を防止し、さらには、ゴンドラ作業が可能で、足場設置が不要となるため、工程面で有利となる上に、当該建物の室内環境を足場によって損なうのを防止できるタイル張り外壁の浮き補修方法を提供する
ことにある。
【課題を解決するための手段】
【００１１】
（１）前記目的を達成するため、本発明のタイル張り外壁の浮き補修方法は、所定の範囲にわたり浮きが生じたタイル外壁の補修対象範囲内の目地に所定間隔で穿孔し、前記穿孔部にボルトを取り付けて補修対象範囲のタイル層の浮きを押し戻す工程と、前記ボルト間の目地に所定間隔で穿孔を行い、各穿孔部内に接着剤を先行注入する工程と、前記先行注入した接着剤が硬化した後、前記ボルトを撤去し、ボルトを撤去した穿孔部に接着剤を本注入する工程とを含むことを特徴とする。
【００１２】
本発明によれば、コンクリート躯体とモルタル層との間の浮きの程度が大きく、いわゆるハラミと称される状態になっている場合に、既存のタイルを撤去せず、タイルの予備や在庫がない場合に生じる新たなタイル焼き工程を省略することができ、調査完了から工事着手までの期間の作業中断をなくして工期短縮に寄与し、緊急対応が可能で、しかも、補修部分と他の部分との色調や風合いの不一致による見栄えの低下を防止し、さらには、ゴンドラ作業が可能で、足場設置が不要となるため、工程面で有利となる上に、当該建物の室内環境を足場によって損なうのを防止できる。
（２）本発明においては、（１）において、前記ボルトによる補修対象範囲のタイル層の浮きを押し戻す工程に先行して、タイル外壁の補修対象範囲周辺の健全部に、所定間隔で穿孔を行い、その穿孔部内に接着剤を注入して補修工事による浮き拡散防止を行う工程を含むものとすることができる。
【００１３】
このような構成とすることにより、補修対象範囲周辺の健全部に形成した穿孔部内に接着剤を注入することで、タイル層の浮き（ハラミ）を押し戻す工程で生じることのある浮き拡散を確実に防止することができる。
（３）本発明においては、（１）または（２）において、前記ボルトにより補修対象範囲のタイル層の浮きを押し戻す際に前記ボルトにディスクプレートを取り付けることができる。
【００１４】
このような構成とすることにより、ボルトに取り付けたディスクプレートにより押し付け面積を拡大して、押し付け効果を高めることができる。
（４）本発明においては、（１）〜（３）のいずれかにおいて、前記ボルトを撤去した穿孔部に接着剤を本注入する際に、前記ボルトを撤去した穿孔部内にアンカーピンを取り付けることができる。
【００１５】
このような構成とすることにより、ボルトを撤去した穿孔部内にアンカーピンを取り付けることで、浮き（ハラミ）の押し戻しの維持力を高めることができる。
（５）本発明においては、（１）〜（４）のいずれかにおいて、前記ボルト間の目地に形成した各穿孔部内に接着剤を先行注入する際に、前記ボルト間の各穿孔部内にアンカーピンを取り付けることができる。
【００１６】
このような構成とすることにより、ボルト間の各穿孔部内にアンカーピンを取り付けることで、先行注入用の穿孔部における接着力を強化することができ、これによって先行注入用穿孔部の形成ピッチを広げて、その分先行注入用穿孔部の穿孔工程を短縮することが可能となる。
（６）本発明においては、（２）において、タイル外壁の補修対象範囲周辺の健全部に形成した穿孔部内に接着剤を注入する際に、各健全部の穿孔部内にアンカーピンを取り付けることができる。
【００１７】
このような構成とすることにより、最終的には国土交通省の標準仕様に示された、アン
カーピンニング部分エポキシ樹脂注入工法の仕様を満たし、健全部に形成した穿孔部内にアンカーピンを取り付けることで、より確実な健全部の浮き拡散防止を図ることができる。
【図面の簡単な説明】
【００１８】
【図１】本発明の一実施の形態にかかるタイル張り外壁の浮き補修方法を用いたタイル張り外壁の補修状態を示す部分外観正面図である。
【図２】タイル外壁の補修対象範囲の調査を行って補修対象範囲周囲の健全部に浮き拡散防止を行う工程を示すタイル外壁の断面図である。
【図３】補修対象範囲内の目地にボルトを取り付けて補修対象範囲のタイル層の浮き（ハラミ）を押し戻す工程を示すタイル外壁の断面図である。
【図４】ボルト間の目地に形成した穿孔部内に接着剤を先行注入する工程を示すタイル外壁の断面図である。
【図５】ボルトを撤去した穿孔部内に接着剤を注入する工程を示すタイル外壁の断面図である。
【発明を実施するための形態】
【００１９】
以下、本発明の実施の形態について、図面を参照して説明する。
【００２０】
図１〜図５は、本発明の一実施の形態にかかるタイル張り外壁の浮き補修方法を示す図で、図１は、本実施の形態にかかるタイル張り外壁の浮き補修方法を用いたタイル張り外壁の補修状態を示す部分外観正面図で、図２〜図５は、本タイル張り外壁の浮き補修方法の各工程を示す図である。
【００２１】
本実施の形態にかかるタイル張り外壁の浮き補修方法は、図２〜図５に示すように、ビルやマンションなどの建物の外壁としてコンクリート躯体１０の外面にモルタル層１２を介してタイル１４を張り付けたタイル層１６を有するタイル外壁１８において、経年劣化によりコンクリート躯体１０よりモルタル層１２が剥離してコンクリート躯体１０とタイル層１６との間の空洞が大きくな浮き（ハラミ）２０（図２参照）となっている場合にタイル層１６を撤去することなく補修を行うものである。
【００２２】
そのため、本実施の形態では、図２に示すようにタイル外壁１８の補修対象範囲２２の調査を行って補修対象範囲２２周囲の健全部２４に浮き拡散防止を行う第１の工程と、図３に示すように補修対象範囲２２内の目地２６にボルト２８を取り付けて補修対象範囲２２のタイル層１８の浮き（ハラミ）２０を押し戻す第２の工程と、図４に示すようにボルト２８間の目地３０（図１参照）に形成した穿孔部３２内にエポキシ樹脂等の接着剤３４を先行注入する第３の工程と、図５に示すようにボルト２８を撤去した穿孔部３６内にエポキシ樹脂等の接着剤３８を注入する第４の工程とを含んでいる。
【００２３】
まず、第１の工程においては、タイル外壁１８の浮き（ハラミ）２０の範囲を調査してその範囲にマーキングをしておく。
【００２４】
そして、図３に示すボルト２８による補修対象範囲２２のタイル層１６の浮き（ハラミ）２０を押し戻す第２の工程に先行して、図２に示すように、マーキングしたタイル外壁１８の補修対象範囲２２周辺の健全部２４に、所定間隔で穿孔を行い、その穿孔部４０内にエポキシ樹脂等の接着剤４２を注入して補修工事による浮き拡散防止を行うようにしている。
【００２５】
このように、補修対象範囲２２周辺の健全部２４に形成した穿孔部４０内に接着剤４２を注入することで、後のタイル層１６の浮き（ハラミ）２０を押し戻す工程で生じること
のある浮き拡散を確実に防止することができる。
【００２６】
この場合、タイル外壁１８の補修対象範囲２２周辺の健全部２４に形成した穿孔部４０内に接着剤４２を注入する際に、各健全部２４の穿孔部４０内にアンカーピン４４を取り付けることで、より確実な健全部２４の浮き拡散防止を図ることができる。
【００２７】
次に、図３に示す第２の工程において、所定の範囲にわたり浮き（ハラミ）２０が生じたタイル外壁１８の補修対象範囲２２内の目地２６に、例えば無振動ドリルを用いて所定間隔（例えば２００ｍｍ間隔）で穿孔し、その穿孔部３６に例えば４ｍｍ径のボルト（例えばステンレスボルト）２８を取り付けて補修対象範囲２２のタイル層１６の浮き（ハラミ）２０を機械的に押し戻す。
【００２８】
この場合、ボルト２８により補修対象範囲２２のタイル層１６の浮き（ハラミ）２０を押し戻す際に、図１にも示すように、ボルト２８にディスクプレート４６を取り付けることにより、ディスクプレート４６によって押し付け面積を拡大し、押し付け効果を高めることができる。
【００２９】
次いで、図４に示す第３の工程において、第２の工程において取り付けたボルト２８間の目地３０に所定間隔で穿孔を行い、各穿孔部３２内にエポキシ樹脂等の接着剤３４を先行注入する。
【００３０】
この場合、各穿孔部３２内に接着剤３４を先行注入する際に、各穿孔部３２内にアンカーピンを取り付けることで、先行注入用の穿孔部３２における接着力を強化することができ、これによって先行注入用穿孔部３２の形成ピッチを広げて、その分先行注入用穿孔部３２の穿孔工程を短縮することが可能となる。
【００３１】
次に、図５に示す第４の工程において、第３の工程において先行注入した接着剤３４が硬化した後、ボルト２８及びディスクプレート４６を撤去し、ボルト２８を撤去した穿孔部３６にエポキシ樹脂等の接着剤３８を本注入する。
【００３２】
この場合、ボルト２８を撤去した穿孔部３６内に接着剤３８を本注入する際に、穿孔部３６内にアンカーピン５０を取り付けることにより、より一層浮き（ハラミ）２０の押し戻しの維持力を高めることができる。
【００３３】
このように、本実施の形態においては、コンクリート躯体１０とモルタル層１２との間の空洞が大きな浮き（ハラミ）２０となっている場合に、既存のタイルを撤去せず、タイルの予備や在庫がない場合に生じる新たなタイル焼き工程を省略することができ、調査完了から工事着手までの期間の作業中断をなくして工期短縮に寄与し、緊急対応が可能で、しかも、補修部分と他の部分との色調や風合いの不一致による見栄えの低下を防止し、さらには、ゴンドラ作業が可能で、足場設置が不要となるため、工程面で有利となる上に、当該建物の室内環境を足場によって損なうのを防止できる。
【産業上の利用可能性】
【００３４】
本発明は、前記実施の形態に限定されるものではなく、本発明の要旨の範囲内において種々の変形が可能である。
【００３５】
例えば、前記実施の形態においては、ボルトによる補修対象範囲のタイル層の浮き（ハラミ）を押し戻す工程に先行して、タイル外壁の補修対象範囲周辺の健全部に、所定間隔で穿孔を行い、その穿孔部内に接着剤を注入して補修工事による浮き拡散防止を行う工程を設けているが、施工現場の状況等により省略することも可能である。
【００３６】
また、浮き拡散防止用の穿孔部、先行注入用の穿孔部及び本注入用の穿孔部内にそれぞれアンカーピンを取り付けるようにしているが、これらのアンカーピンについても施工現場の状況等により各所において適宜省略することが可能である。
【００３７】
さらに、対象としては、タイルを張らない、塗装仕上げや素地仕上げのモルタル層においても、まったく同様の工法にて対応することが可能である。
【符号の説明】
【００３８】
１０  コンクリート躯体
１２  モルタル層
１４  タイル
１６  タイル層
１８  タイル外壁
２０  浮き（ハラミ）
２２  補修対象範囲
２４  健全部
２６、３０  目地
２８  ボルト
３２、３６、４０  穿孔部
３４、３８、４２  接着剤
４４、５０  アンカーピン
４６  ディスクプレート
【図１】
2015140552.tif 000003
【図２】
2015140552.tif 000004
【図３】
2015140552.tif 000005
【図４】
2015140552.tif 000006
【図５】
2015140552.tif 000007